【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
画像に適用する色処理を規定する色画像処理ファイルを編集する編集手段と、
前記編集手段による前記色画像処理ファイルの編集の履歴を示す編集履歴情報を表示装置に表示させる表示制御手段と、
前記編集履歴情報と、前記表示制御手段によって前記編集履歴情報の表示を制御するための編集履歴表示制御情報とを、前記色画像処理ファイルに含めて記憶する記憶手段と、を備えることを特徴とするファイル編集装置。
【請求項２】
前記色処理は、彩度、明度、色相、ガンマ特性のいずれかに関する変換処理を含むことを特徴とする請求項１に記載のファイル編集装置。
【請求項３】
前記編集履歴表示制御情報は、前記色画像処理ファイルを編集する毎に生成される編集履歴情報毎に設定され、
前記記憶手段は、前記編集履歴情報毎に、前記設定された編集履歴表示制御情報を関連づけて前記色画像処理ファイルに含めて記憶することを特徴とする請求項１又は２に記載のファイル編集装置。
【請求項４】
前記編集履歴表示制御情報は、前記色画像処理ファイルを編集する毎に生成される編集履歴情報毎に設定され、
さらに、前記記憶手段は、前記編集履歴情報毎にパスワードを関連づけて記憶し、
前記表示制御手段は、関連づけられたパスワードが入力された編集履歴情報については、当該編集履歴情報に関連付けられた前記編集履歴表示制御情報が当該編集履歴情報の表示を制限するものであっても前記表示装置に表示するように制御することを特徴とする請求項１乃至３のいずれか１項に記載のファイル編集装置。
【請求項５】
前記色画像処理ファイルを暗号化する暗号化手段をさらに備えることを特徴とする請求項１乃至４のいずれか１項に記載のファイル編集装置。
【請求項６】
前記記憶手段に記憶された前記色画像処理ファイルを、前記ファイル編集装置に接続された撮像装置に設定する設定手段をさらに備えることを特徴とする請求項１乃至５のいずれか１項に記載のファイル編集装置。
【請求項７】
画像に適用する色処理を規定する色画像処理ファイルであって、編集履歴情報及び前記編集履歴情報の表示を制御するための編集履歴表示制御情報を含む色画像処理ファイルを読み込む読み込み手段と、
前記読み込み手段により読み込まれた編集履歴表示制御情報に基づき、前記編集履歴情報の表示装置への表示を制御する表示制御手段と、
前記読み込み手段により読み込まれた色画像処理ファイルのユーザによる編集を受け付ける編集手段とを備え、
前記表示制御手段は、前記編集履歴情報が前記表示装置に表示された状態で前記色画像処理ファイルが編集された場合、当該編集に対応する編集履歴情報を、既に表示されている編集履歴情報に続く態様で表示させる、ことを特徴とするファイル編集装置。
【請求項８】
ファイル編集装置の制御方法であって、
編集手段が、画像に適用する色処理を規定する色画像処理ファイルを編集する編集工程と、
表示制御手段が、前記編集工程における前記色画像処理ファイルの編集の履歴を示す編集履歴情報を表示装置に表示させる表示制御工程と、
前記編集履歴情報と、前記編集履歴情報の表示を前記表示制御工程が制御するための編集履歴表示制御情報とを、記憶手段が前記色画像処理ファイルに含めて記憶装置に記憶する記憶工程と、を有することを特徴とするファイル編集装置の制御方法。
【請求項９】
ファイル編集装置の制御方法であって、
画像に適用する色処理を規定する色画像処理ファイルであって、編集履歴情報及び前記編集履歴情報の表示を制御するための編集履歴表示制御情報を含む色画像処理ファイルを、読み込み手段が読み込む読み込み工程と、
表示制御手段が、前記読み込み工程により読み込まれた編集履歴表示制御情報に基づき、前記編集履歴情報の表示装置への表示を制御する表示制御工程と、
編集手段が、前記読み込み手段により読み込まれた色画像処理ファイルのユーザによる編集を受け付ける編集工程とを有し、
前記表示制御工程では、前記編集履歴情報が前記表示装置に表示された状態で前記色画像処理ファイルが編集された場合、当該編集に対応する編集履歴情報を、既に表示されている編集履歴情報に続く態様で表示させることを特徴とするファイル編集装置の制御方法。
【請求項１０】
請求項８または９に記載のファイル編集装置の制御方法の各工程をコンピュータに実行させるためのプログラム。
【請求項１１】
請求項８または９に記載のファイル編集装置の制御方法の各工程をコンピュータに実行させるためのプログラムを記憶した、コンピュータが読み取り可能な記憶媒体。
【手続補正２】
【補正対象書類名】明細書
【補正対象項目名】００１３
【補正方法】変更
【補正の内容】
【００１３】
上記の目的を達成するため、本発明の実施形態に係るファイル編集装置は、画像に適用する色処理を規定する色画像処理ファイルを編集する編集手段と、編集手段による色画像処理ファイルの編集の履歴を示す編集履歴情報を表示装置に表示させる表示制御手段と、編集履歴情報と、表示制御手段によって編集履歴情報の表示を制御するための編集履歴表示制御情報とを、色画像処理ファイルに含めて記憶する記憶手段と、を備えることを特徴とする。
【手続補正３】
【補正対象書類名】明細書
【補正対象項目名】００１４
【補正方法】変更
【補正の内容】
【００１４】
上記の目的を達成するため、本発明の他の実施形態に係るファイル編集装置は、画像に適用する色処理を規定する色画像処理ファイルであって、編集履歴情報及び編集履歴情報の表示を制御するための編集履歴表示制御情報を含む色画像処理ファイルを読み込む読み込み手段と、読み込み手段により読み込まれた編集履歴表示制御情報に基づき、編集履歴情報の表示装置への表示を制御する表示制御手段と、読み込み手段により読み込まれた色画像処理ファイルのユーザによる編集を受け付ける編集手段とを備え、表示制御手段は、編集履歴情報が表示装置に表示された状態で色画像処理ファイルが編集された場合、当該編集に対応する編集履歴情報を、既に表示されている編集履歴情報に続く態様で表示させる、ことを特徴とする。
【手続補正４】
【補正対象書類名】明細書
【補正対象項目名】００１５
【補正方法】変更
【補正の内容】
【００１５】
上記の目的を達成するため、本発明のさらに他の実施形態に係るファイル編集装置の制御方法は、編集手段が、画像に適用する色処理を規定する色画像処理ファイルを編集する編集工程と、表示制御手段が、編集工程における色画像処理ファイルの編集の履歴を示す編集履歴情報を表示装置に表示させる表示制御工程と、編集履歴情報と、編集履歴情報の表示を表示制御工程が制御するための編集履歴表示制御情報とを、記憶手段が色画像処理ファイルに含めて記憶装置に記憶する記憶工程と、を有することを特徴とする。
【手続補正５】
【補正対象書類名】明細書
【補正対象項目名】００１６
【補正方法】変更
【補正の内容】
【００１６】
上記の目的を達成するため、本発明のさらに他の実施形態に係るファイル編集装置の制御方法は、画像に適用する色処理を規定する色画像処理ファイルであって、編集履歴情報及び編集履歴情報の表示を制御するための編集履歴表示制御情報を含む色画像処理ファイルを、読み込み手段が読み込む読み込み工程と、表示制御手段が、読み込み工程により読み込まれた編集履歴表示制御情報に基づき、編集履歴情報の表示装置への表示を制御する表示制御工程と、編集手段が、読み込み手段により読み込まれた色画像処理ファイルのユーザによる編集を受け付ける編集工程とを有し、表示制御工程では、編集履歴情報が表示装置に表示された状態で色画像処理ファイルが編集された場合、当該編集に対応する編集履歴情報を、既に表示されている編集履歴情報に続く態様で表示させることを特徴とする。